(57)【要約】【課題】ユーザが容易にＡＰＮ設定を行うことができる通信装置、通信方法、および通信用プログラムを提供する。【解決手段】記憶部１２には、移動体通信サービスの提供元ごとに設定情報が登録された提供元別設定情報登録テーブルが記憶される。制御部１６が、保持部１１に装着されている記憶媒体に記憶されている識別情報に基づいて、記憶部１２の提供元別設定情報登録テーブルから設定情報を読み出す。通信部１３が、制御部１６が読み出した設定情報に基づいて通信を行う。【選択図】      図９
2016184804.tif 000002
【特許請求の範囲】
【請求項１】
移動体通信サービスの提供元を識別可能な識別情報が記憶されている記憶媒体を装着可能な保持手段と、
前記識別情報に応じて提供される前記移動体通信サービスに基づく通信を行う通信手段と、
前記通信手段が前記通信を行うための設定情報が記憶された記憶手段と、
前記記憶手段に記憶されている前記設定情報を読み出す制御手段とを備え、
前記記憶手段には、前記移動体通信サービスの提供元ごとに前記設定情報が登録された提供元別設定情報登録テーブルが記憶され、
前記制御手段は、前記保持手段に装着されている前記記憶媒体に記憶されている前記識別情報に基づいて、前記記憶手段の前記提供元別設定情報登録テーブルから前記設定情報を読み出し、
前記通信手段は、前記制御手段が読み出した前記設定情報に基づいて前記通信を行う
ことを特徴とする通信装置。
【請求項２】
前記記憶媒体に記憶されている前記識別情報は、前記移動体通信サービスの提供先を識別可能な情報を含み、
前記制御手段は、
前記記憶手段から読み出した前記設定情報に基づいて前記通信手段が前記移動体通信サービスに基づく前記通信を行った場合に、前記設定情報を、前記保持手段に装着されている前記記憶媒体に記憶されている前記識別情報に対応付けて、前記記憶手段に記憶されている総合設定情報登録テーブルに登録し、
以後、前記通信手段が前記通信を行う場合に、前記記憶媒体に記憶されている前記識別情報に基づいて前記総合設定情報登録テーブルから前記設定情報を読み出す
請求項１に記載の通信装置。
【請求項３】
前記記憶媒体に記憶されている前記識別情報は、前記移動体通信サービスの提供先を識別可能な情報を含み、
前記制御手段は、
操作手段が操作されて入力された設定情報に基づいて前記通信手段が前記移動体通信サービスに基づく前記通信を行った場合に、前記設定情報を、前記保持手段に装着されている前記記憶媒体に記憶されている前記識別情報に対応付けて、前記記憶手段に記憶されている総合設定情報登録テーブルに登録し、
以後、前記通信手段が前記通信を行う場合に、前記記憶媒体に記憶されている前記識別情報に基づいて前記総合設定情報登録テーブルから前記設定情報を読み出す
請求項１または請求項２に記載の通信装置。
【請求項４】
前記制御手段は、前記総合設定情報登録テーブルにおいて前記識別情報に対応付けられている設定情報を、前記識別情報によって識別される前記移動体通信サービスの提供元に応じた前記提供元別設定情報登録テーブルに登録する
請求項２または請求項３に記載の通信装置。
【請求項５】
前記制御手段は、他の通信装置から送信された設定情報を記憶手段に記憶させる
請求項１から請求項４のうちいずれかに記載の通信装置。
【請求項６】
記憶手段から、通信を行うための設定情報を読み出す制御ステップと、
保持手段に装着された記憶媒体に記憶されている、移動体通信サービスの提供元を識別可能な識別情報に応じて提供される前記移動体通信サービスに基づく通信を行う通信ステップとを含み、
前記記憶手段には、前記移動体通信サービスの提供元ごとに前記設定情報が登録された提供元別設定情報登録テーブルが記憶され、
前記制御ステップで、前記保持手段に装着されている前記記憶媒体に記憶されている前記識別情報に基づいて、前記記憶手段の前記提供元別設定情報登録テーブルから前記設定情報を読み出し、
前記通信ステップで、前記制御ステップで読み出した前記設定情報に基づいて前記通信を行う
ことを特徴とする通信方法。
【請求項７】
コンピュータに、
記憶手段から、通信を行うための設定情報を読み出す制御処理と、
保持手段に装着された記憶媒体に記憶されている、移動体通信サービスの提供元を識別可能な識別情報に応じて提供される前記移動体通信サービスに基づく通信を行う通信処理とを実行させ、
前記記憶手段には、前記移動体通信サービスの提供元ごとに前記設定情報が登録された提供元別設定情報登録テーブルが記憶され、
前記制御処理で、前記保持手段に装着されている前記記憶媒体に記憶されている前記識別情報に基づいて、前記記憶手段の前記提供元別設定情報登録テーブルから前記設定情報を読み出させ、
前記通信処理で、前記制御処理で読み出した前記設定情報に基づいて前記通信を行わせる
ための通信用プログラム。
【発明の詳細な説明】
【技術分野】
【０００１】
本発明は、移動体通信サービスに基づく通信を行う通信装置、通信方法、および通信用プログラムに関する。
【背景技術】
【０００２】
複数の事業者が、様々な移動体通信サービスを提供している。それら事業者は、移動体通信サービスの提供を受けるユーザとサービス内容に応じた契約をして、当該契約によるサービスの提供先を識別可能な識別情報が記憶されたＳＩＭ（Ｓｕｂｓｃｒｉｂｅｒ  Ｉｄｅｎｔｉｔｙ  Ｍｏｄｕｌｅ）カードを当該ユーザに提供する。移動体通信サービスのユーザは、利用する移動体通信サービスに応じたＳＩＭカードを通信装置に装着して当該移動体通信サービスの提供を受ける。
【０００３】
また、通信装置が携帯電話通信網等の移動体通信ネットワークを介して通信を行うためには、当該通信装置は、当該移動体通信ネットワークに接続するためのＡＰＮ（Ａｃｃｅｓｓ  Ｐｏｉｎｔ  Ｎａｍｅ）等を設定される必要がある。なお、ＡＰＮは、移動体通信サービスの提供元を示す情報である。
【０００４】
通信装置は、装着されたＳＩＭカードに記憶されている識別情報を含む設定情報をＡＰＮによって示されている提供元の事業者に送信することによって、当該事業者による移動体通信サービスの提供を受けて、移動体通信ネットワークを介して通信を行うことができるようになる。したがって、事業者による移動体通信サービスの提供を受けて、通信装置が移動体通信ネットワークを介して通信を行うためには、ＡＰＮ等の設定情報に基づくＡＰＮ設定が行われなければならない。
【０００５】
近年、移動体通信サービスを提供するＭＶＮＯ（仮想移動体通信事業者：Ｍｏｂｉｌｅ  Ｖｉｒｔｕａｌ  Ｎｅｔｗｏｒｋ  Ｏｐｅｒａｔｏｒ）が増加している。各ＭＶＮＯによる移動体通信サービスの提供を受ける場合に、ユーザは、通信装置に当該移動体通信サービス用のＡＰＮ設定を行う。
【０００６】
特許文献１には、ルックアップテーブルから読み出したＡＰＮ等を設定して、移動体通信ネットワークに接続する方法が記載されている。
【先行技術文献】
【特許文献】
【０００７】
【特許文献１】特表２０１２−５１８９４９号公報
【発明の概要】
【発明が解決しようとする課題】
【０００８】
しかし、ＭＶＮＯおよび移動体通信サービスの増加に伴って、それらに応じたＡＰＮ設定を行うために、通信装置の製造時に記憶手段に記憶される設定情報の数が増加している。そうすると、ユーザが通信装置に装着するＳＩＭカードを交換して他の事業者から移動体通信サービスの提供を受ける場合に、記憶手段に記憶されている多くの設定情報から適切な設定情報を選択する作業に手間がかかる。
【０００９】
具体的には、ユーザが、誤った設定情報を選択して通信装置に設定した場合に、移動体通信サービスの提供を受けることができない。したがって、そのような場合に、ユーザは、他の設定情報を選択して通信装置に設定するという試行錯誤を繰り返すことになる。そして、通信装置の製造時に記憶手段に記憶されている設定情報が増加すると、試行錯誤の回数も増加し、ユーザが移動体通信サービスの提供を受けるための手間がかかるという問題がある。
【００１０】
そこで、本発明は、ユーザが容易にＡＰＮ設定を行うことができる通信装置、通信方法、および通信用プログラムを提供することを目的とする。
【課題を解決するための手段】
【００１１】
本発明による通信装置は、移動体通信サービスの提供元を識別可能な識別情報が記憶されている記憶媒体を装着可能な保持手段と、識別情報に応じて提供される移動体通信サービスに基づく通信を行う通信手段と、通信手段が通信を行うための設定情報が記憶された記憶手段と、記憶手段に記憶されている設定情報を読み出す制御手段とを備え、記憶手段には、移動体通信サービスの提供元ごとに設定情報が登録された提供元別設定情報登録テーブルが記憶され、制御手段は、保持手段に装着されている記憶媒体に記憶されている識別情報に基づいて、記憶手段の提供元別設定情報登録テーブルから設定情報を読み出し、通信手段は、制御手段が読み出した設定情報に基づいて通信を行うことを特徴とする。
【００１２】
本発明による通信方法は、記憶手段から、通信を行うための設定情報を読み出す制御ステップと、保持手段に装着された記憶媒体に記憶されている、移動体通信サービスの提供元を識別可能な識別情報に応じて提供される移動体通信サービスに基づく通信を行う通信ステップとを含み、記憶手段には、移動体通信サービスの提供元ごとに設定情報が登録された提供元別設定情報登録テーブルが記憶され、制御ステップで、保持手段に装着されている記憶媒体に記憶されている識別情報に基づいて、記憶手段の提供元別設定情報登録テーブルから設定情報を読み出し、通信ステップで、制御ステップで読み出した設定情報に基づいて通信を行うことを特徴とする。
【００１３】
本発明による通信用プログラムは、コンピュータに、記憶手段から、通信を行うための設定情報を読み出す制御処理と、保持手段に装着された記憶媒体に記憶されている、移動体通信サービスの提供元を識別可能な識別情報に応じて提供される移動体通信サービスに基づく通信を行う通信処理とを実行させ、記憶手段には、移動体通信サービスの提供元ごとに設定情報が登録された提供元別設定情報登録テーブルが記憶され、制御処理で、保持手段に装着されている記憶媒体に記憶されている識別情報に基づいて、記憶手段の提供元別設定情報登録テーブルから設定情報を読み出させ、通信処理で、制御処理で読み出した設定情報に基づいて通信を行わせることを特徴とする。
【発明の効果】
【００１４】
本発明によれば、ユーザが容易にＡＰＮ設定を行うことができる。
【図面の簡単な説明】
【００１５】
【図１】本発明の第１の実施形態の通信装置の接続例を示す概念図である。
【図２】本発明の第１の実施形態の通信装置の構成例を示すブロック図である。
【図３】ＳＩＭカードに記憶されている識別情報に含まれるＩＭＳＩ番号の構成を示す説明図である。
【図４】本発明の第１の実施形態の通信装置がＡＰＮ設定を行う動作を示すフローチャートである。
【図５】本発明の第１の実施形態の通信装置がＡＰＮ設定を行う動作を示すフローチャートである。
【図６】ＡＰＮ設定テーブルの例を示す説明図である。
【図７】ＡＰＮ設定テーブルの例を示す説明図である。
【図８】他のタイミングで設定情報を記憶部に記憶される例を示す説明図である。
【図９】本発明の第２の実施形態の通信装置の構成例を示すブロック図である。
【発明を実施するための形態】
【００１６】
実施形態１．
本発明の第１の実施形態の通信装置１００について、図面を参照して説明する。図１は、本発明の第１の実施形態の通信装置１００の接続例を示す概念図である。図１に示すように、本発明の第１の実施形態の通信装置１００は、携帯電話通信網等の移動体通信ネットワーク２００の基地局３００と情報を送受信する。
【００１７】
なお、通信装置１００は、例えば、携帯電話機や可搬型コンピュータ等の通信装置に接続されて、それら装置と移動体通信ネットワーク２００の基地局３００との間の通信を中継するモバイルルータや、携帯電話機等である。
【００１８】
図２は、本発明の第１の実施形態の通信装置１００の構成例を示すブロック図である。図２に示すように、本発明の第１の実施形態の通信装置１００は、ＳＩＭカードスロット１１０、記憶部１２０、通信部１３０、表示部１４０、操作部１５０、および制御部１６０を含む。
【００１９】
ＳＩＭカードスロット１１０には、ＳＩＭカード４００が装着される。記憶部１２０には情報が記憶される。なお、記憶部１２０に記憶される情報には、通信装置１００の制御に必要なソフトウェアや、各移動体通信サービスを提供する事業者に応じたＡＰＮ等を含む設定情報が記憶されている。
【００２０】
通信部１３０には、アンテナ１７０が接続されている。そして、通信部１３０は、アンテナ１７０を介して無線通信で情報を送受信する。具体的には、通信部１３０は、ＬＴＥ（Ｌｏｎｇ  Ｔｅｒｍ  Ｅｖｏｌｕｔｉｏｎ）等の通信方式に従って、移動体通信ネットワーク２００の基地局３００と情報を送受信する。また、通信部１３０は、通信装置１００が基地局３００と他の通信装置との間の通信を中継するモバイルルータ等の中継装置である場合に、当該他の通信装置と近距離無線通信で情報を送受信する。
【００２１】
表示部１４０は、情報を表示する。操作部１５０は、情報を入力する。制御部１６０は、通信装置１００の全体を制御する。なお、制御部１６０は、例えば、プログラム制御に従って処理を実行するＣＰＵ（Ｃｅｎｔｒａｌ  Ｐｒｏｃｅｓｓｉｎｇ  Ｕｎｉｔ）によって実現される。
【００２２】
図３は、ＳＩＭカード４００に記憶されている識別情報に含まれるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号の構成を示す説明図である。図３に示すように、ＩＭＳＩ番号は、ＭＣＣ（Ｍｏｂｉｌｅ  Ｃｏｕｎｔｒｙ  Ｃｏｄｅ）、ＭＮＣ（Ｍｏｂｉｌｅ  Ｎｅｔｗｏｒｋ  Ｃｏｄｅ）、およびＭＳＩＮ（Ｍｏｂｉｌｅ  Ｓｔａｔｉｏｎ  Ｉｄｅｎｔｉｆｉｃａｔｉｏｎ  Ｎｕｍｂｅｒ）を含む。
【００２３】
ＭＣＣは、例えば、ユーザにＳＩＭカード４００を提供した移動体通信サービス事業者の運用地域（例えば、国）を３桁の数字で示す情報である。例えば、ユーザにＳＩＭカード４００を提供した事業者の運用地域が日本であれば、ＭＣＣは、例えば、４４０である。
【００２４】
ＭＮＣは、例えば、ユーザにＳＩＭカード４００を提供した事業者を２桁または３桁の数字で識別する情報である。図３に示す例では、ＭＮＣは２桁の数字である。
【００２５】
ＭＳＩＮは、例えば、ユーザを識別する９桁または１０桁の数字である。図３に示す例では、ＭＳＩＮは１０桁の数字である。
【００２６】
そして、図３に示す例では、ＩＭＳＩ番号において、ＭＣＣは第１〜３桁目の数字、ＭＮＣは第４，５桁目の数字、ＭＳＩＮは第６〜１５桁目の数字である。
【００２７】
次に、本発明の第１の実施形態の通信装置１００の動作について説明する。図４，５は、本発明の第１の実施形態の通信装置１００がＡＰＮ設定を行う動作を示すフローチャートである。制御部１６０は、例えば、ユーザによって操作部１５０になされた操作によって、ＳＩＭカードスロット１１０に装着されているＳＩＭカード４００に基づく通信を開始する場合に、図４，５のフローチャートに示す以下の処理を行う。
【００２８】
すなわち、制御部１６０は、記憶部１２０に記憶されているＡＰＮ設定テーブルを読み出す（ステップＳ１０１）。なお、ＳＩＭカード４００に基づく通信とは、例えば、ＳＩＭカード４００に記憶されている識別情報に基づいて提供される移動体通信サービスに応じた通信をいう。
【００２９】
ここで、ＡＰＮ設定テーブルについて説明する。図６，７は、ＡＰＮ設定テーブルの例を示す説明図である。図６，７に示すように、ＡＰＮ設定テーブルは、ＡＰＮ設定メインテーブルと、ＡＰＮ設定サブテーブルとを含む。図６には、ＡＰＮ設定メインテーブルが示されている。また、図７には、ＡＰＮ設定サブテーブルが示されている。
【００３０】
図６に示すように、ＡＰＮ設定メインテーブルには、ＩＭＳＩ番号と設定情報（図６において、ＡＰＮ情報と示す）とが互いに対応付けられて登録されている。そして、ＡＰＮ設定サブテーブルは、移動体通信サービスの事業者ごとに用意され、各事業者から移動体通信サービスの提供を受けるための設定情報が登録されている。なお、設定情報は、例えば、移動体通信サービスの提供を受けるための、ＡＰＮや、ユーザ名、パスワード、認証タイプ等を示す情報である。
【００３１】
図７に示すように、ＡＰＮ設定サブテーブルには、図６に示すＡＰＮ設定メインテーブルに登録されている設定情報が、移動体通信サービスの提供事業者ごとに登録されている。具体的には、ＡＰＮ設定サブテーブルＡには、事業者Ａによる移動体通信サービスの提供を受けるための設定情報（図７において、ＡＰＮ情報と示す。以下同じ）がそれぞれ登録されている。また、ＡＰＮ設定サブテーブルＢには、事業者Ｂによる移動体通信サービスの提供を受けるための設定情報がそれぞれ登録されている。ＡＰＮ設定サブテーブルＣには、事業者Ｃによる移動体通信サービスの提供を受けるための設定情報がそれぞれ登録されている。
【００３２】
制御部１６０は、図６に示すＡＰＮ設定メインテーブルに登録されている設定情報を、当該設定情報に対応付けられているＩＭＳＩ番号に含まれるＭＣＣおよびＭＮＣ（図３に示す例では、第１〜５桁目の数字）に基づいて、事業者ごとのサブテーブルに登録する。具体的には、制御部１６０は、例えば、図６に示すＡＰＮ設定メインテーブルにおいて、第１〜５桁目の数字が「４４０１０」であるＩＭＳＩ番号に対応づけられている設定情報を、事業者Ａを示す契約ＳＩＭ名に対応付けてＡＰＮ設定サブテーブルＡに登録する。また、制御部１６０は、例えば、図６に示すＡＰＮ設定メインテーブルにおいて、第１〜５桁目の数字が「４４０２０」であるＩＭＳＩ番号に対応づけられている設定情報を、事業者Ｂを示す契約ＳＩＭ名に対応付けてＡＰＮ設定サブテーブルＢに登録する。さらに、制御部１６０は、例えば、図６に示すＡＰＮ設定メインテーブルにおいて、第１〜５桁目の数字が「４４０５０」であるＩＭＳＩ番号に対応づけられている設定情報を、事業者Ｃを示す契約ＳＩＭ名に対応付けてＡＰＮ設定サブテーブルＣに登録する。
【００３３】
なお、設定情報は、ＡＰＮ設定サブテーブルに登録されていてもよいが、ＡＰＮ設定サブテーブルに、記憶部１２０において設定情報が記憶されているアドレス等が登録されてもよい。そして、制御部１６０が、例えば、ＡＰＮ設定サブテーブルから、または当該アドレス等に基づいて記憶部１２０から、設定情報を読み出すように構成されている。
【００３４】
制御部１６０は、ステップＳ１０１の処理で、具体的には、ＡＰＮ設定メインテーブルに登録されているＩＭＳＩ番号を読み出す。そして、制御部１６０は、ＳＩＭカードスロット１１０に装着されているＳＩＭカード４００に記憶されているＩＭＳＩ番号と合致するＩＭＳＩ番号がＡＰＮ設定メインテーブルに登録されている場合に（ステップＳ１０２のＹ）、ステップＳ１０３の処理に移行する。また、制御部１６０は、ＳＩＭカードスロット１１０に装着されているＳＩＭカード４００に記憶されているＩＭＳＩ番号と合致するＩＭＳＩ番号がＡＰＮ設定メインテーブルに登録されていない場合に（ステップＳ１０２のＮ）、ステップＳ１０４の処理に移行する。
【００３５】
制御部１６０は、ステップＳ１０３の処理で、ＡＰＮ設定メインテーブルにおいて、ＳＩＭカードスロット１１０に装着されているＳＩＭカード４００に記憶されているＩＭＳＩ番号に対応付けられている設定情報を記憶部１２０から読み出す（ステップＳ１０３）。
【００３６】
制御部１６０は、読み出した設定情報に基づいて、ＡＰＮ設定を行う。具体的には、制御部１６０は、例えば、読み出した設定情報に含まれているＡＰＮや、ユーザ名、パスワード、認証タイプ等を設定する。制御部１６０は、行ったＡＰＮ設定に基づいて、移動体通信ネットワーク２００の基地局３００に接続する。そして、制御部１６０は、処理を終了する。
【００３７】
また、制御部１６０は、ステップＳ１０４の処理で、ＳＩＭカードスロット１１０に装着されているＳＩＭカード４００に記憶されているＩＭＳＩ番号におけるＭＣＣおよびＭＮＣが、図６に示すＡＰＮ設定メインテーブルに登録されているいずれかのＩＭＳＩ番号におけるＭＣＣおよびＭＮＣと合致する場合に（ステップＳ１０４のＹ）、ステップＳ１０９の処理に移行し、そうでない場合に（ステップＳ１０４のＮ）、ステップＳ１０５の処理に移行する。
【００３８】
制御部１６０は、ステップＳ１０５の処理で、ユーザに、ＡＰＮ設定を手動で行うように通知する（ステップＳ１０５）。具体的には、制御部１６０は、ステップＳ１０５の処理で、例えば、ＡＰＮや、ユーザ名、パスワード、認証タイプ等のＡＰＮ設定に必要な情報の入力を促す画面を表示部１４０に表示させる。そして、制御部１６０には、表示部１４０に表示された画面に応じて、ユーザによって操作部１５０になされた操作に応じた情報が入力される。
【００３９】
制御部１６０は、ユーザによって入力された情報に応じて、ＡＰＮ設定を行う（ステップＳ１０６）。そして、制御部１６０は、ステップＳ１０６の処理で行ったＡＰＮ設定に基づいて、移動体通信ネットワーク２００の基地局３００に接続する（ステップＳ１０７）。
【００４０】
制御部１６０は、移動体通信ネットワーク２００の基地局３００との接続に成功したときのＡＰＮ設定に用いた設定情報と、ＳＩＭカードスロット１１０に装着されているＳＩＭカード４００に記憶されているＩＭＳＩ番号とを対応付けてＡＰＮ設定メインテーブルに登録する（ステップＳ１０８）。そして、制御部１６０は、処理を終了する。
【００４１】
制御部１６０は、ステップＳ１０９の処理で、ＳＩＭカードスロット１１０に装着されているＳＩＭカード４００に記憶されているＩＭＳＩ番号に基づいて、参照するＡＰＮ設定サブテーブルを決定し（ステップＳ１０９）、ステップＳ１１０の処理に移行する。具体的には、制御部１６０は、例えば、当該ＩＭＳＩ番号の第１〜５桁目の数字が「４４０１０」であれば、ＡＰＮ設定サブテーブルＡを参照すると決定する。また、制御部１６０は、例えば、当該ＩＭＳＩ番号の第１〜５桁目の数字が「４４０２０」であれば、ＡＰＮ設定サブテーブルＢを参照すると決定する。制御部１６０は、例えば、当該ＩＭＳＩ番号の第１〜５桁目の数字が「４４０５０」であれば、ＡＰＮ設定サブテーブルＣを参照すると決定する。なお、各ＡＰＮ設定サブテーブルは、ＩＭＳＩ番号の第１〜５桁目の数字と互いに対応付けられて記憶部１２０に記憶されているとする。
【００４２】
制御部１６０は、ステップＳ１１０の処理で、ステップＳ１０９の処理で決定したＡＰＮ設定サブテーブルから設定情報を読み出す（ステップＳ１１０）。なお、制御部１６０は、ステップＳ１１０の処理で、ＡＰＮ設定サブテーブルに設定情報が登録されていれば当該ＡＰＮ設定サブテーブルから設定情報を読み出す。また、制御部１６０は、ステップＳ１１０の処理で、ＡＰＮ設定サブテーブルに記憶部１２０における設定情報が記憶されているアドレスが登録されていれば当該アドレスに基づいて記憶部１２０から設定情報を読み出す。
【００４３】
そして、制御部１６０は、ステップＳ１１０の処理で読み出した設定情報に基づいて、ＡＰＮ設定を行う（ステップＳ１１１）。制御部１６０は、ステップＳ１１１の処理で行ったＡＰＮ設定に基づいて、移動体通信ネットワーク２００の基地局３００への接続を試みる（ステップＳ１１２）。
【００４４】
制御部１６０は、ステップＳ１１２の処理で移動体通信ネットワーク２００の基地局３００への接続に成功した場合に（ステップＳ１１３のＹ）、ステップＳ１０８の処理に移行し、当該接続に失敗した場合に（ステップＳ１１３のＮ）、ステップＳ１１４の処理に移行する。
【００４５】
制御部１６０は、ステップＳ１１４の処理で、ＡＰＮ設定サブテーブルを参照して、記憶部１２０に、今回以前の一連のステップＳ１１０等の処理で既に読み出した設定情報以外の設定情報が記憶されているか否かを判定する（ステップＳ１１４）。制御部１６０は、記憶部１２０に、ステップＳ１１０の処理で読み出した設定情報以外の設定情報が記憶されていないと判定した場合に（ステップＳ１１４のＮ）、ステップＳ１０５の処理に移行する。また、制御部１６０は、記憶部１２０に、今回以前の一連のステップＳ１１０の処理で読み出した設定情報以外の設定情報が記憶されていると判定した場合に（ステップＳ１１４のＹ）、再度ステップＳ１１０の処理に移行し、今回以前の一連のステップＳ１１０の処理で読み出した設定情報以外の設定情報を読み出す（ステップＳ１１０）。
【００４６】
本実施形態によれば、制御部１６０が、ステップＳ１０３，Ｓ１１０の処理で読み出した設定情報に基づいて、自動的にＡＰＮ設定を行う。よって、ユーザによるＡＰＮ設定の手間を省くことができる。
【００４７】
また、本実施形態によれば、制御部１６０が、ステップＳ１０９の処理で決定した、ＳＩＭカード４００に応じて事業者ごとに用意されたＡＰＮ設定サブテーブルに基づいて、ステップＳ１１０〜Ｓ１１４の処理で、記憶部１２０に記憶されている設定情報に応じたＡＰＮ設定と基地局３００への接続とを繰り返し試みる。したがって、ＳＩＭカード４００の提供元とは異なる事業者から移動体通信サービスの提供を受けるための設定情報に応じたＡＰＮ設定や、当該ＡＰＮ設定に基づく基地局３００への接続試行等は行われない。よって、制御部１６０が、事業者ごとに用意されたＡＰＮ設定サブテーブルに基づいて設定情報を読み出すので、基地局３００への接続の試みに用いる設定情報の数を削減することができる。そして、基地局３００への接続に要する時間を短縮することができる。
【００４８】
また、本実施形態によれば、制御部１６０は、ステップＳ１０８の処理で、基地局３００との接続に成功したときのＡＰＮ設定に用いた設定情報を、ＳＩＭカードスロット１１０に装着されているＳＩＭカード４００に記憶されているＩＭＳＩ番号と対応付けてＡＰＮ設定メインテーブルに登録する（ステップＳ１０８）。そして、制御部１６０は、次回以降のＡＰＮ設定および基地局３００への接続に、ＡＰＮ設定メインテーブルに登録された設定情報を活用する（ステップＳ１０２）。よって、基地局３００への接続に１回成功した移動体通信サービスに応じた基地局３００への次回以降の接続に要する時間を短縮することができる。この効果は、複数のＳＩＭカード４００を適宜使い分ける場合に特に顕著である。
【００４９】
なお、制御部１６０は、ステップＳ１０８の処理で、移動体通信ネットワーク２００の基地局３００との接続に成功したときのＡＰＮ設定に用いた設定情報を、対応するＡＰＮ設定サブテーブルにも登録するように構成されていてもよい。具体的には、制御部１６０は、移動体通信ネットワーク２００の基地局３００との接続に成功したときのＡＰＮ設定に用いた設定情報を、ＳＩＭカードスロット１１０に装着されているＳＩＭカード４００に記憶されているＩＭＳＩ番号に基づいて、移動体通信サービスの提供事業者に応じたＡＰＮ設定サブテーブルにも登録する。
【００５０】
そのような構成によれば、当該移動体通信サービスの提供事業者から提供された別のＳＩＭカードをＳＩＭカードスロット１１０に装着した場合に、当該移動体通信サービスの提供事業者に応じたＡＰＮ設定サブテーブルから設定情報が検索されて読み出される。したがって、当該ＳＩＭカードに記憶されているＩＭＳＩ番号のうち、ＭＳＩＮが異なっていても、ＡＰＮ設定サブテーブルに登録されている設定情報を活用して通信を行うことができる。よって、ユーザによる設定情報の手入力等の手間を省くことができる。
【００５１】
本例では、設定情報は、記憶部１２０に、通信装置１００の製造時、またはステップＳ１０８の処理で記憶される。しかし、設定情報は、他のタイミングで記憶部１２０に記憶されるように構成されていてもよい。図８は、他のタイミングで設定情報を記憶部１２０に記憶される例を示す説明図である。図８に示す例では、通信装置１００は、設定情報を、基地局３００を介して他の通信装置（図示せず）から受信して記憶部１２０に記憶させる。また、図８に示す例では、通信装置１００は、通信装置５００に記憶されている設定情報を、当該通信装置５００から受信して記憶部１２０に記憶させる。なお、通信装置１００（より具体的には、制御部１６０）は、ＵＳＢ（Ｕｎｉｖｅｒｓａｌ  Ｓｅｒｉａｌ  Ｂｕｓ）ケーブルや、近距離無線通信で接続された通信装置５００から送信された設定情報を受信して記憶部１２０に記憶させる。
【００５２】
そのような構成によれば、例えば、通信装置１００のファームウェアの更新とともに、新たな設定情報を記憶部１２０に記憶させることができる。そうすると、通信装置１００の製造後に開始された移動体通信サービスの提供を受けるための設定情報を記憶部１２０に記憶させることができる。そして、通信装置１００の製造後に開始された移動体通信サービスの提供を受けることが容易に可能になる。
【００５３】
なお、本例では、通信装置１００は、表示部１４０および操作部１５０を含むとして説明したが、通信装置１００は、表示部１４０および操作部１５０のうちいずれか一方または両方を含んでいなくてもよい。そして、通信装置１００の制御部１６０は、当該通信装置１００が、例えば、モバイルルータである場合に、近距離無線通信で接続された通信装置の表示手段に、表示部１４０が表示すべき情報を表示させ、当該通信装置の操作手段に、操作部１５０に入力すべき情報を入力させるように構成されていてもよい。
【００５４】
実施形態２．
次に、本発明の第２の実施形態の通信装置１０について、図面を参照して説明する。図９は、本発明の第２の実施形態の通信装置１０の構成例を示すブロック図である。図９に示すように、本発明の第２の実施形態の通信装置１０は、保持部１１、記憶部１２、通信部１３、および制御部１６を含む。
【００５５】
保持部１１は、図２に示す本発明の第１の実施形態におけるＳＩＭカードスロット１１０に相当する。通信部１３は、図２に示す本発明の第１の実施形態における通信部１３０に相当する。記憶部１２は、図２に示す本発明の第１の実施形態における記憶部１２０に相当する。制御部１６は、図２に示す本発明の第１の実施形態における制御部１６０に相当する。
【００５６】
保持部１１は、移動体通信サービスの提供元を識別可能な識別情報が記憶されている記憶媒体（図１に示すＳＩＭカード４００に相当）を装着可能である。通信部１３は、識別情報に応じて提供される移動体通信サービスに基づく通信を行う。記憶部１２には、通信部１３が通信を行うための設定情報が記憶されている。制御部１６は、記憶部１２に記憶されている設定情報を読み出す。
【００５７】
そして、記憶部１２には、移動体通信サービスの提供元ごとに設定情報が登録された提供元別設定情報登録テーブル（図７に示すＡＰＮ設定サブテーブルに相当）が記憶される。
【００５８】
また、制御部１６は、保持部１１に装着されている記憶媒体に記憶されている識別情報に基づいて、記憶部１２の提供元別設定情報登録テーブルから設定情報を読み出す。
【００５９】
そして、通信部１３は、制御部１６が読み出した設定情報に基づいて通信を行う。
【００６０】
本実施形態によれば、ユーザが容易にＡＰＮ設定を行うことができる。
【符号の説明】
【００６１】
１０、１００、５００    通信装置
１１    保持部
１２、１２０    記憶部
１３、１３０    通信部
１６、１６０    制御部
１１０    ＳＩＭカードスロット
１４０    表示部
１５０    操作部
１７０    アンテナ
２００    移動体通信ネットワーク
３００    基地局
４００    ＳＩＭカード
【図１】
2016184804.tif 000003
【図２】
2016184804.tif 000004
【図３】
2016184804.tif 000005
【図４】
2016184804.tif 000006
【図５】
2016184804.tif 000007
【図６】
2016184804.tif 000008
【図７】
2016184804.tif 000009
【図８】
2016184804.tif 000010
【図９】
2016184804.tif 000011